(57)【要約】【課題】放送番組を視聴したまま、現在視聴している放送番組が含まれる放送ネットワークとは異なる運用規定の放送ネットワークの番組表を確認することのできる番組情報表示装置を実現する。【解決手段】放送番組に関する情報を含む番組情報をアンテナを介して取得する番組情報取得部９と、取得した番組情報を記憶する番組情報記憶部５と、番組情報記憶部５に記憶された番組情報を基に運用規定の異なる放送ネットワーク毎に視聴可能な番組の情報を重畳表示させるための視聴可能番組データを作成する視聴可能番組データ作成部１０と、第１放送ネットワークの放送番組に、視聴可能番組データ作成部１０の作成した第２放送ネットワークの視聴可能番組データを重畳して表示させる、表示制御部１２とを有する。【選択図】図１
2010110020.tif 000002
【特許請求の範囲】
【請求項１】
放送番組に関する情報を含む番組情報を地上デジタル放送用アンテナ、ＢＳデジタル用アンテナ、またはＣＳデジタル用アンテナを介して取得し、記憶部に記憶させる番組情報取得手段と、
上記記憶部に記憶された番組情報を基に、運用規定の異なる放送ネットワーク毎に視聴可能な番組の情報を重畳表示するための視聴可能番組データを作成する視聴可能番組データ作成手段と、
第１放送ネットワークの放送番組画面に、上記視聴可能番組データ作成手段の作成した第１放送ネットワークとは運用規定の異なる第２放送ネットワークの視聴可能番組データを重畳表示する、重畳表示制御手段と、
第１放送ネットワークの放送番組の表示から第２放送ネットワークの放送番組への表示の切り替えを受付けるネットワーク切替受付手段を有し、
上記重畳表示手段が、第１放送ネットワークの放送番組に、第１放送ネットワークの視聴可能番組データを重畳表示している場合、
上記ネットワーク切替受付手段が切り替える指示を受付けると、上記視聴可能番組データ作成手段は、第２放送ネットワークの視聴可能番組データを作成し、重畳表示制御手段は、第１放送ネットワークの放送番組に、第２放送ネットワークの視聴可能番組データを重畳表示することを特徴とする番組情報表示装置。
【請求項２】
上記記憶部に記憶される番組情報は、上記番組情報取得手段が番組情報を取得する度に更新されることを特徴とする請求項１に記載の番組情報表示装置。
【請求項３】
放送番組に関する情報を含む番組情報を地上デジタル放送用アンテナ、ＢＳデジタル用アンテナ、またはＣＳデジタル用アンテナを介して取得する番組情報取得ステップと、
取得した上記番組情報を記憶する記憶ステップと、
上記記憶された番組情報を基に、運用規定の異なる放送ネットワーク毎に視聴可能な番組の情報を重畳表示させるための視聴可能番組データを作成する視聴可能番組データ作成ステップと、
第１放送ネットワークの放送番組の表示に、上記視聴可能番組データ作成ステップで作成した第２放送ネットワークの視聴可能番組データを重畳表示する、重畳表示ステップとを有し、
上記視聴可能番組データ作成ステップでは、第１放送ネットワークの放送番組に、第１放送ネットワークの視聴可能番組データを重畳表示している場合、第１放送ネットワークの放送番組の表示から第２放送ネットワークの放送番組への表示の切り替える指示を受付けると、第２放送ネットワークの視聴可能番組データを作成しており、
上記重畳表示ステップでは、作成した第２放送ネットワークの視聴可能番組データを、第１放送ネットワークの放送番組に重畳表示することを特徴とする番組情報表示方法。
【請求項４】
上記請求項１または２に記載の番組情報表示装置を動作させる制御プログラムであって、上記各手段をコンピュータに実現させることを特徴とする番組情報表示装置の制御プログラム。
【請求項５】
請求項４に記載の番組情報表示装置の制御プログラムを記録したコンピュータ読み取り可能な記録媒体。
【発明の詳細な説明】
【技術分野】
【０００１】
本発明は、番組情報を取得して放送番組に重畳して表示させる番組情報表示装置、番組情報表示方法、番組情報表示装置の制御プログラムおよびコンピュータ読取可能な記録媒体に関するものである。
【背景技術】
【０００２】
近年、テレビジョン放送では、ＣＳ（通信衛星）放送，ＢＳ（放送衛星）放送を初め、地上波放送においても、デジタル化が進められている。デジタル放送においては、放送番組そのものを構成する映像情報や音声情報に多重されて、例えば、番組名、放送日時、番組の内容、出演者等の番組に関する情報（番組情報）を含むＳＩ（Service Information）も伝送される。
【０００３】
アンテナを介してデジタル放送を受信する受像装置は、上記ＳＩを利用して、視聴者が番組選択に利用しやすいインターフェイスとして、電子番組表（Electronic Program Guide：以下ＥＰＧと称す）を構築して画面に表示させる。この、ＥＰＧの利用法として、例えば、ユーザによりＥＰＧの画面上で希望する番組が選択され、選択した番組の表示や選択した番組の録画予約を行う方法が知られている。
【０００４】
ＥＰＧには、現在放送されている番組情報および今後放送される予定の各チャンネルの番組情報からなる番組表以外に、例えば、裏番組表がある。この裏番組表は、現在表示している放送番組以外の現時点で放送されている（視聴可能な）放送番組、いわゆる裏番組の番組表である。この裏番組表を提供することによってユーザの選局の操作を容易にすることができる。例えば、特許文献１では、視聴画面に裏番組表を重畳表示し、裏番組表示欄の複数の裏番組をスクロールさせて多数の裏番組の表示を提供し、この裏番組の一つを選択することにより選局の制御を行う放送受信装置が開示されている。また、例えば特許文献２には、ユーザが必要と思われる時間あるいはユーザが予め設定した時間に自動的に裏番組表を表示させる放送番組情報表示装置が記載されている。
【先行技術文献】
【特許文献】
【０００５】
【特許文献１】特開平９−２７０６７３号公報（１９９７年１０月１４日公開）
【特許文献２】特開２００２−３４４８４２号公報（２００２年１１月２９日公開）
【発明の概要】
【発明が解決しようとする課題】
【０００６】
しかしながら、上記した放送受信装置や放送番組情報表示装置のような、アンテナを介して得られた番組情報を表示する従来の番組情報表示装置では、現在視聴しているものとは運用規定の異なる放送ネットワークに切り替わる（例えば地上デジタル放送からＢＳデジタル放送に切り替わる等）ことは考慮されていない。そのため、従来の番組情報表示装置では、図５に示すように、放送番組に、現在視聴している放送番組を含む放送ネットワークの裏番組表を重畳して表示させるにとどまっている。そして、現在視聴している放送番組を含むネットワークの裏番組表の表示中に別の放送ネットワークの裏番組表を表示させる際には、アンテナを介して番組情報を取得するために、その別のネットワークの特定チャンネルへの同調とデータ取得をするための動作を行わなければならない。すなわち、チューナ入力を切り替えるための動作を行わなければならない。このとき、別の放送ネットワークの裏番組表の表示は、以前にその別の放送ネットワークの番組を選局した際に保存した裏番組表をまず表示し、その番組表で抜けている番組情報などを今回選局した時に取得し追加表示する。このチューナ入力の切り替えの動作のため、従来の番組情報表示装置では、図６に示すように、別の放送ネットワークの裏番組表が表示されるが、現在視聴している放送番組が消えてしまうという問題がある。なお、視聴している画面が黒くなる代わりに、プロモーションチャンネルに同調し、裏番組表のデータを取得し表示する番組情報表示装置もあるが、現在視聴している放送番組が消えてしまうことには変わりが無い。
【０００７】
本発明は、上記の問題点に鑑みてなされたものであり、その目的は、放送番組を視聴したまま、現在視聴している放送番組が含まれる放送ネットワークとは異なる運用規定の放送ネットワークの視聴可能な番組を確認することのできる番組情報表示装置、番組情報表示方法、番組情報表示装置の制御プログラムおよびコンピュータ読取可能な記録媒体を実現することにある。
【課題を解決するための手段】
【０００８】
本発明に係る番組情報表示装置は、上記課題を解決するために、放送番組に関する情報を含む番組情報をアンテナを介して取得し、記憶部に記憶させる番組情報取得手段と、取得した上記番組情報が記憶される記憶部と、上記記憶部に記憶された番組情報を基に、運用規定の異なる放送ネットワーク毎に視聴可能な番組の情報を重畳表示するための視聴可能番組データを作成する視聴可能番組データ作成手段と、第１放送ネットワークの放送番組画面に、上記視聴可能番組データ作成手段の作成した第１放送ネットワークとは運用規定の異なる第２放送ネットワークの視聴可能番組データを重畳表示する、重畳表示制御手段と、を有することを特徴としている。
【０００９】
また、本発明に係る番組情報表示方法は、放送番組に関する情報を含む番組情報をアンテナを介して取得する番組情報取得ステップと、取得した上記番組情報を記憶する記憶ステップと、上記記憶された番組情報を基に、運用規定の異なる放送ネットワーク毎に視聴可能な番組の情報を重畳表示させるための視聴可能番組データを作成する視聴可能番組データ作成ステップと、第１放送ネットワークの放送番組の表示に、上記視聴可能番組データ作成ステップで作成した第２放送ネットワークの視聴可能番組データを重畳表示する、重畳表示ステップと、を有することを特徴としている。
【００１０】
上記構成および上記方法によると、第１放送ネットワークの放送番組が表示されている際に、記憶部に記憶された番組情報を基に作成された第２放送ネットワークの視聴可能番組データが重畳して表示される。ここで、本明細書においては、放送ネットワークとは、同一規定で運用される放送のネットワークである。ＢＳデジタル放送、ＣＳデジタル放送、地上デジタル放送、それぞれで、１つのネットワークを形成しているとする。
【００１１】
従来の番組情報表示装置は、現在視聴している放送番組を含むネットワークの裏番組表の表示中に別ネットワークの番組表を表示させる際には、アンテナを介して番組情報を取得するために、チューナ入力を切り替えるための動作を行わなければならない。その動作のため、従来の番組情報表示装置では、現在視聴している放送番組が消えてしまう。
【００１２】
このような従来の番組情報表示装置に対し、本発明に係る番組情報表示装置および情報表示方法は、第１ネットワークの放送番組を表示中に、第２ネットワークの視聴可能番組データの表示を行う際、記憶部に記憶された番組情報を基に作成された第２放送ネットワークの視聴可能番組データを作成する。そのため、第２ネットワークの特定チャンネルへの同調とデータ取得をするための動作を行わなくてもよい。つまり、チューナ入力の切り替えの動作を行う必要がない。そして、第１放送ネットワークの放送番組を表示したまま、第２放送ネットワークの視聴可能番組データを重畳表示する。よって、現在視聴している第１放送ネットワークの放送番組が消えてしまうことなく、第２放送ネットワークの視聴可能番組データが表示される。ここでは、第１放送ネットワークの放送番組の表示に、第２放送ネットワークの視聴可能番組データを重畳を表示している。しかし、２つのネットワーク間には限定されず、本発明は、３つ以上のネットワーク間でも、ある放送ネットワーク放送番組の表示に、別の放送ネットワークの視聴可能番組データを重畳表示することが可能である。
【００１３】
現在視聴している放送ネットワークの放送番組が消えてしまうことがないので、ユーザは、現在視聴している放送ネットワークの放送番組を視聴したまま、現在視聴している放送番組が含まれる放送ネットワークとは別の運用規定の放送ネットワークの視聴可能な番組を確認することができる。よって、ユーザは、現在視聴している放送番組を視聴したまま、全ての視聴可能番組データを確認することが可能となる。
【００１４】
本発明に係る番組情報表示装置は、上記構成に加え、第１放送ネットワークの放送番組の表示から第２放送ネットワークの放送番組への表示の切り替えを受付けるネットワーク切替受付手段を有し、上記重畳表示手段が、第１放送ネットワークの放送番組に、第１放送ネットワークの視聴可能番組データを重畳表示している場合、上記ネットワーク切替受付手段が切り替えを受付けると、上記視聴可能番組データ作成手段は、第２放送ネットワークの視聴可能番組データを作成してもよい。
【００１５】
上記構成によると、第１放送ネットワークの放送番組に、第１放送ネットワークの視聴可能番組データと第２放送ネットワークの視聴可能番組データとを切り替えて重畳表示させることができる。また、第１放送ネットワークの放送番組の表示から第２放送ネットワークの放送番組への表示の切り替えを受付けるネットワーク切替受付手段によって、切り替えることができる。このとき、放送番組を別の放送ネットワークのものに切り替えることなく、視聴可能データのみを切り換えて表示することができる。
【００１６】
よって、ユーザは、放送番組に視聴可能番組データを重畳表示させている際には、視聴可能データのみを別のネットワークのものに、切り替えることができる。そのため、快適に、視聴可能番組データを確認することができる。
【００１７】
本発明に係る番組情報表示装置では、上記記憶部に記憶される番組情報は、上記番組情報取得手段が番組情報を取得する度に更新されてもよい。
【００１８】
上記構成によると、記憶部には常に新しい番組情報が記憶される。そのため、常に新しい番組情報に基づいた視聴可能データ作成され、表示される。よって、ユーザは、常に新しい視聴可能番組データを確認することができる。また、この常に新しい視聴可能データを基に、放送番組選択をすることができる。
【００１９】
なお、本発明に係る情報表示装置は、コンピュータにより実現してもよく、この場合には、コンピュータを上記各手段として動作させることにより上記情報表示装置をコンピュータにて実現させる情報表示装置の制御プログラム、及びその制御プログラムを記録したコンピュータ読み取り可能な記録媒体も、本発明の範疇に入る。
【００２０】
これらの構成によれば、本発明に係る情報表示装置の制御プログラムを、コンピュータに読み取り実行させることによって、上記情報制御装置と同一の作用効果を実現することができる。
【発明の効果】
【００２１】
本発明に係る情報表示装置は、以上のように、上記課題を解決するために、放送番組に関する情報を含む番組情報をアンテナを介して取得し、記憶部に記憶させる番組情報取得手段と、上記記憶部に記憶された番組情報を基に、運用規定の異なる放送ネットワーク毎に視聴可能な番組の情報を重畳表示させるための視聴可能番組データを作成する視聴可能番組データ作成手段と、第１放送ネットワークの放送番組の表示に、上記視聴可能番組データ作成手段の作成した第１放送ネットワークとは運用規定の異なる第２放送ネットワークの視聴可能番組データを重畳して表示させる、重畳表示制御手段と、を有する。
【００２２】
上記構成によると、第１ネットワークの放送番組を表示中に、ユーザにより第２ネットワークの視聴可能番組データの表示を行う際は、記憶部に記憶された番組情報を基に作成された第２放送ネットワークの視聴可能番組データを作成する。そのため、第２ネットワークの特定チャンネルへの同調とデータ取得をするための動作を行わなくてもよい。つまり、チューナ入力の切り替えの動作を行う必要がない。そして、第１放送ネットワークの放送番組を表示したまま、第２放送ネットワークの視聴可能番組データを重畳表示する。よって、現在視聴している第１放送ネットワークの放送番組が消えてしまうことなく、第２放送ネットワークの視聴可能番組データが表示される。
【００２３】
現在視聴している放送ネットワークの放送番組が消えてしまうことがないので、ユーザは、現在視聴している放送ネットワークの放送番組を視聴したまま、現在視聴している放送番組が含まれる放送ネットワークとは別の運用規定の放送ネットワークの視聴可能な番組を確認することができる。よって、ユーザは、現在視聴している放送番組を視聴したまま、全ての視聴可能番組データを確認することが可能となる。
【図面の簡単な説明】
【００２４】
【図１】本発明の実施形態を示すものであり、番組情報表示装置の要部構成を示すブロック図である。
【図２】上記番組情報表示装置にユーザ入力を行うためのリモートコントローラの平面図である。
【図３】上記番組情報表示装置における、放送番組を表示中にキー入力を受付けた場合に行う動作のフローチャートである。
【図４】上記番組情報表示装置において、視聴している放送番組を含む放送ネットワークとは、別の放送ネットワークの裏番組表を重畳して表示させた表示画面一例を示す図である。
【図５】従来の番組情報表示装置において、放送番組に現在視聴している放送番組を含む放送ネットワーク内の裏番組表を重畳して表示させた表示画面の一例を示す図である。
【図６】従来の番組情報表示装置において、視聴している放送番組を含む放送ネットワークとは、別の放送ネットワークの裏番組表を重畳して表示させた表示画面一例を示す図である。
【発明を実施するための形態】
【００２５】
本発明の一実施形態について図１〜図４に基づいて説明すると以下の通りである。ここで、本発明に係る番組情報表示装置は、例えば、ブラウン管テレビジョン、液晶テレビジョン、無機ＥＬテレビジョン、有機ＥＬテレビジョン、プラズマテレビジョンなどの表示装置を含む広い概念であり、表示機構により限定されるものではない。以下では、本実施の形態の番組情報表示装置を、デジタル方式の放送信号を受信するチューナを備えたテレビジョン装置の構成の一部として説明する。しかし、本発明はこれに限定されることはない。
【００２６】
図１に示すように、テレビジョン装置１５は、番組情報表示装置１、スピーカ６、表示パネル７、リモートコントローラ（リモコン）８を含んでいる。
【００２７】
番組情報表示装置１は、デジタル復調部２、制御部３、ＡＶ（Ａｕｄｉｏ Ｖｉｓｕａｌ）デコーダ部４、番組情報記憶部（記憶部）５、リモコン受光部１６、を有する。
【００２８】
デジタル復調部２は、制御部からの指示により、地上デジタル放送用アンテナにより、地上デジタル放送信号を送信する放送局からの放送データおよび該放送データに付属する番組情報等の付属情報を受信し、復調する。ここで放送データとは、映像データおよび音声データのことであり、番組情報とは、電子番組表を表示するのに必要なデータである。また、制御部からの指示により、ＢＳデジタル用アンテナにより、ＢＳデジタル放送を送信する放送衛星からの放送データおよび該放送データに付属する番組情報を受信し、復調する。また、制御部からの指示により、ＣＳデジタル用アンテナにより、ＣＳデジタル放送を送信する通信衛星からの放送データおよび該放送データに付属する番組情報を受信し、復調する。このように、デジタル復調部２は、制御部からの指示により、各ネットワークの放送データおよび該放送データに付属する番組情報等の付属情報を受信し、復調する。ここで、本実施形態において、放送ネットワークとは、同一規定で運用される放送のネットワークのことである。ＢＳデジタル放送、ＣＳデジタル放送、地上波デジタル放送、それぞれ、１つの放送ネットワークとする。
【００２９】
制御部３は、番組情報表示装置１における各種構成の動作を統括的に制御する。また、制御部３は、番組情報取得部（番組情報取得手段）９、視聴可能番組データ作成部（視聴可能番組データ作成手段）１０、音声制御部１１、表示制御部（重畳表示手段）１２、入力受付部（ネットワーク切替受付手段）１３として機能する。
【００３０】
番組情報取得部９は、デジタル復調部２が受信した信号を映像データと音声データと番組情報等の付属情報とを分離して抽出する。そして、番組情報取得部９は、番組情報を記憶部に記憶させ、映像データと音声データとをＡＶデコーダ部４に出力する。ここで、映像データは、動画、静止画、さらに、文字を含んでもよい。また、番組情報には、例えば、番組名、放送日時、番組の内容、出演者等の番組に関する情報が含まれるものとする。しかし、テレビ番組の放送そのものとは別の情報であってもよく、また、通信または蓄積メディアによって与えられるようになっていてもよい。
【００３１】
視聴可能番組データ作成部１０は、番組情報記憶部５に記憶された番組情報を基に、運用規定の異なる放送ネットワーク毎に視聴可能な番組の情報を重畳表示するための視聴可能番組データを作成する。つまり、視聴可能番組データ作成部１０は、地上デジタル放送の視聴可能番組データ、ＢＳデジタル放送の視聴可能番組データ、ＣＳデジタル放送の視聴可能番組データをそれぞれ作成する。ここで視聴可能番組データは、本実施形態では、裏番組表のデータとして説明するが、これには、限定されることはない。ここで、裏番組表とは、現在表示している放送番組以外の現時点で放送されている（視聴可能な）放送番組、いわゆる裏番組の番組表である。
【００３２】
音声制御部１１は、ＡＶデコーダ部４から受信した音声データを、スピーカ６を用いて外部出力する。
【００３３】
表示制御部１２は、ＡＶデコーダ部４から受信した映像データを、表示パネル７に表示させる。また、視聴可能番組データ作成部１０が作成した視聴可能番組データを映像データ（放送番組）に重畳して表示させる。このように表示させることで、ユーザは、放送番組を視聴中に裏番組表を確認することができる。
【００３４】
入力受付部１３は、リモコン受光部１４が受信したリモコン８からの信号による番組情報表示装置１に対する様々なユーザ入力を受付ける。入力受付部１３は、ある放送ネットワークの放送番組の表示から別の放送ネットワークの放送番組への表示の切り替えを受付ける。また、番組情報表示装置１はリモコン８を介さず直接入力できるようになっており、入力受付部１３は、その入力も受付けるようになっているものとする。
【００３５】
ＡＶデコーダ部４は、番組情報取得部９にて分離されたデジタル映像データを所定のフォーマットの映像データへ変換して、表示制御部１２に送る。また、番組情報取得部９にて分離されたデジタル音声データを所定のフォーマットの音声データへ変換して、音声制御部１１に送る。このＡＶデコーダ部４は、ＴＳ  Ｄｅｍｕｘ（Transport Stream De-multiplex）として機能する。また、例えば映像データの規格にはＭＰＥＧ−２ Videoを用い、音声データの規格にはＭＰＥＧ−２ Audio AACを用いる。ＡＶデコーダ部４の用いる規格はこれに限るものではなく、例えば動画像符号化技術の国際標準方式であるＭＰＥＧ−４ VisualやＨ．２６４（ＭＰＥＧ−４  ＡＶＣ）等を用いてもよい。
【００３６】
番組情報記憶部（記憶部）５には、番組情報取得手段が取得した番組情報が記憶される。デジタル復調部２が放送信号を受信する際に、番組情報取得部９が取得した番組情報を番組情報記憶部５に記憶させる。
【００３７】
地上デジタル放送の番組情報の取得については、デジタル復調部２による初期設定のチャンネルスキャン時に、番組情報取得部９は視聴地域の地上デジタル放送の全チャンネル分の番組情報を取得し、番組情報記憶部５にこの番組情報を記憶させる。そして、各チャンネルがそれぞれ選局されてデジタル復調部２が受信する度に、番組情報取得部９は選局されたチャンネルの番組情報を取得し、番組情報記憶部５に更新して記憶させる。また、ＢＳデジタル放送あるいはＣＳデジタル放送の番組情報の取得については、デジタル復調部２がＢＳデジタル放送あるいはＣＳデジタル放送の何れかのチャンネルに同調した際に、番組情報取得部９は番組情報を取得し、番組情報記憶部５に全チャンネル分の番組情報を記憶させる。そして、番組情報取得部９は、次にＢＳデジタル放送あるいはＣＳデジタル放送の何れかのチャンネルに同調した際に番組情報を取得する。そして、番組情報記憶部５の番組情報は更新される。
【００３８】
なお、番組情報表示装置１の動作制御を行うための各種プログラムを格納する記憶手段（図示せず）に番組情報記憶部５が含まれていてもよい。
【００３９】
リモコン受光部１４は、リモコン８からの赤外線信号を受信し、入力受付部１３に送る。
【００４０】
スピーカ６は、音声制御部１１の制御により音声データを出力する。
【００４１】
表示パネル７は、表示制御部１２の制御により、映像データや裏番組表等の出力を行う。表示パネル７は、特に限定されず、ブラウン管であってもよいし、液晶ディスプレイパネル、プラズマディスプレイパネル、有機ＥＬディスプレイパネル、無機ＥＬディスプレイパネル等であってもよいし、また、スクリーン等であってもよい。
【００４２】
リモコン８は、ユーザが番組情報表示装置１を含むテレビジョン装置１５を操作するために供されるユーザインターフェースである。ユーザは、リモコン８を操作することで、所望のチャネルの選局や、番組情報表示装置１を含むテレビジョン装置１５の設定を行うことができる。
【００４３】
リモコン８は、図２に示すように、ユーザがテレビジョン装置１５を操作するための入力キーとして各種ボタンを備えている。これらボタンのうち、裏番組ボタン２０は、裏番組を表示させるために使用されるボタンである。ネットワークボタン２１は、放送ネットワークの切り替えを指示するためのボタンであり、地上デジタル放送ボタン２２、ＢＳデジタル放送ボタン２３、ＣＳデジタル放送ボタン２４が含まれる。例えば、地上デジタル放送ボタン２２を押すことで、デジタル復調部２が受信する信号が地上デジタル放送のものに切り替わる。また、決定ボタン２５は、各種処理を決定する際に押し下すことで、ユーザ入力が決定されるボタンである。
【００４４】
もちろん、テレビジョン装置１５は、説明した以外にも、テレビジョン装置として基本的な機能を有するものとする。
【００４５】
次に、番組情報表示装置１の裏番組表を表示するときの処理について、図３に示すフローチャートを参照に説明する。
【００４６】
ここで、予め、ＢＳデジタル放送の全チャンネル分の番組情報、ＣＳデジタル放送の全チャンネル分の番組情報が番組情報記憶部５に記憶されているものとする。また、予め、地上デジタル放送のチャンネルスキャンが行われ、番組情報取得部９は、視聴地域の地上デジタル放送の全チャンネル分の番組情報を取得して、番組情報記憶部５が記憶しているものとする。
【００４７】
初めに、ステップ１（以降、Ｓ１のように称する）において、放送番組が表示パネル７に表示される。ここでは、ＢＳデジタル放送の放送番組が表示されるとする。
【００４８】
Ｓ２では、入力受付部１３は、キー入力が有るか否かを判断する。キー入力があると判断した（入力受付部１３がキー入力を受け付けた）場合（Ｓ２においてＹＥＳ）、Ｓ３に進む。キー入力が無いと判断した（入力受付部１３がキー入力を受け付けなかった）場合（Ｓ２においてＮＯ）、Ｓ２を繰り返す。つまり、キー入力があるまで、ＢＳ放送の放送番組の表示が続けられる。
【００４９】
Ｓ３では、入力受付部１３は、キー入力が裏番組ボタン２０からの入力であるか否かを判断する。裏番組ボタン２０からの入力である場合（Ｓ３においてＹＥＳ）、Ｓ６に進む。裏番組ボタン２０からの入力でない場合（Ｓ３においてＮＯ）、Ｓ４に進む。
【００５０】
Ｓ４は、入力受付部１３は、キー入力がネットワークボタン２１からの入力であるか否かを判断する。ネットワークボタン２１からの入力である場合（Ｓ４においてＹＥＳ）、Ｓ７に進む。ネットワークボタン２１からの入力でない場合（Ｓ４においてＮＯ）、Ｓ５に進む。ここでは、ネットワークボタン２１として、ＣＳデジタル放送ボタン２４が選択されて押されたものとする。
【００５１】
Ｓ５では、入力受付部１３は、キー入力が決定ボタン２５からの入力であるか否かを判断する。決定ボタン２５からの入力である場合（Ｓ５においてＹＥＳ）、Ｓ８に進む。決定ボタン２５からの入力でない場合（Ｓ５においてＮＯ）、Ｓ１４に進む。
【００５２】
Ｓ６では、裏番組表が表示中であるか否かを判断する。裏番組表が表示中であれば（Ｓ６においてＹＥＳ）、Ｓ９に進む。裏番組表が表示中でなければ、Ｓ１０に進む。
【００５３】
Ｓ７では、裏番組表が表示中であるか否かを判断する。裏番組表が表示中でなければ、Ｓ１１に進む。裏番組表が表示中であれば（Ｓ７においてＹＥＳ）、Ｓ１２に進む。
【００５４】
Ｓ８では、裏番組表が表示中であるか否かを判断する。裏番組表が表示中であれば（Ｓ８においてＹＥＳ）、Ｓ１３に進む。裏番組表が表示中でなければ、Ｓ１４に進む。
【００５５】
Ｓ９では、表示制御部１２は、表示されていた裏番組表の表示を行わないようにする。つまり、裏番組表の表示をクリアする。
【００５６】
Ｓ１０では、視聴可能番組データ作成部１０が、番組情報記憶部５からＢＳデジタル放送の番組情報を読み出し裏番組表のデータを作成する。そして、表示制御部１２は、視聴可能番組データ作成部１０が作成したＢＳデジタル放送の裏番組表をＢＳ放送の放送番組に重畳表示する。
【００５７】
Ｓ１１では、Ｓ４でＣＳデジタル放送ボタン２４が選択されているので、デジタル復調部２がＣＳデジタル放送の放送番組に同調してデータを取得し、表示制御部１２はＣＳデジタル放送の放送番組を表示する。
【００５８】
Ｓ１２では、Ｓ４でＣＳデジタル放送ボタン２４が選択されているので、視聴可能番組データ作成部１０が、番組情報記憶部５からＣＳデジタル放送の番組情報を読み出し裏番組表のデータを作成する。そして、表示制御部１２は、視聴可能番組データ作成部１０が作成したＣＳ放送の裏番組表をＢＳ放送の放送番組に重畳表示する。この時、表示パネル７は、例えば図４に示すようになっており、ＢＳ放送の放送番組が表示されたままＣＳデジタル放送の裏番組表が表示される。
【００５９】
Ｓ１３では、Ｓ５で決定ボタン２５が押されたことにより、裏番組表における何れかのチャンネルが選択されそれを受付けたので、デジタル復調部２により、選局したチャンネルへの同調が行われ放送信号を受信する。この際、番組情報取得部９により番組情報の取得が行われ、番組情報記憶部５に記憶される。
【００６０】
Ｓ１４では、Ｓ２のキー入力に応じたその他の処理が行われる。
【００６１】
以上のように、例えばリモコン８を用いたキー入力により、番組情報表示装置１では、ＢＳデジタル放送の放送番組を表示したまま、ＣＳデジタル放送の裏番組表を重畳表示することができる。
【００６２】
従来の番組情報表示装置は、現在視聴している放送番組を含むネットワークの裏番組表の表示中に別ネットワークの番組表を表示させる際には、チューナ入力を切り替えるための動作を行わなければならない。その動作のため、従来の番組情報表示装置では、現在視聴している放送番組が消えてしまっていた。
【００６３】
このような従来の番組情報表示装置に対し、番組情報表示装置１は、ＢＳデジタル放送の放送番組を表示中に、ＣＳデジタル放送の裏番組表の表示を行う際、記憶部に記憶された番組情報を基に作成されたＣＳデジタル放送の裏番組表のデータを作成する。そのため、ＣＳデジタル放送の特定チャンネルへの同調とデータ取得をするための動作を行わなくてもよい。つまり、チューナ入力の切り替えの動作を行う必要がない。そして、ＢＳデジタル放送の放送番組を表示したまま、ＣＳデジタル放送の裏番組表を重畳表示する。また、ＢＳデジタル放送の放送番組が表示されている際に、記憶部に記憶された番組情報を基に作成された地上デジタル放送の裏番組表を重畳表示することもできる。もちろん、地上デジタル放送の放送番組に、ＣＳデジタル放送の裏番組表あるいはＢＳデジタル放送の裏番組表を重畳表示することができる。また、ＣＳデジタル放送の放送番組に、ＢＳデジタル放送の裏番組表あるいは地上デジタル放送の裏番組表を重畳表示することもできる。
【００６４】
よって、番組情報表示装置１は、現在視聴している放送ネットワークの放送番組の表示消すことなく、別の放送ネットワークの裏番組表を重畳表示させることができる。現在視聴している放送ネットワークの放送番組が消えてしまうことがないので、ユーザは、現在視聴している放送ネットワークの放送番組を視聴したまま、現在視聴している放送番組が含まれる放送ネットワークとは別の運用規定の放送ネットワークの裏番組表を確認することができる。よって、ユーザは、現在視聴している放送番組を視聴したまま、全ての視聴可能番組データを確認することが可能となる。
【００６５】
また、上記で説明したように、番組情報表示装置１では、ＢＳデジタル放送の放送番組に、ＢＳデジタル放送の裏番組表とＣＳデジタル放送の裏番組表とを切り替えて重畳表示させることができる。もちろん、ＢＳデジタル放送の放送番組に、ＢＳデジタル放送の裏番組表と地上デジタル放送の裏番組表とを切り替えて重畳表示させることができる。また、ＢＳデジタル放送の放送番組に、ＣＳデジタル放送の裏番組表と地上デジタル放送の裏番組表とを切り替えて重畳表示させることができる。地上デジタル放送の放送番組を表示中にも、ＣＳデジタル放送の放送番組を表示中にも、同様に裏番組表の表示を切り替えて重畳表示することができる。ユーザは、ネットワークボタン２１により、裏番組表の重畳表示を切り替えることができる。このとき、番組情報表示装置１は、放送番組を別の放送ネットワークのものに切り替えることなく、裏番組表のみを切り替えて表示する。よって、ユーザは、放送番組に視聴可能番組データを重畳表示させている際には、視聴可能データのみを別のネットワークのものに、切り替えることができる。そのため、快適に、裏番組表を確認することができる。
【００６６】
なお、番組情報表示装置１において、裏番組表の、フォントサイズの見直しや表現の簡素化等、表示に関する最適化を図ってもよい。このことにより、より小さな表示領域内でも従来と同等の一覧性を提供することができる。このように、裏番組表示領域を縮小しながらも情報一覧性を維持することで、現在視聴している番組画像を邪魔することなく番組情報の提示が可能になる。従来では表示処理チップの制限もあり、大きなフォントを使用していた。その結果、表示文字数の制限により放送局名を表示できない、番組タイトルの表示文字数が少ない、ガイダンスと呼ばれる画面下のボタン機能説明欄などが画面の横幅全体に表示されていた、等の問題点があった。しかし、表示処理チップの能力を向上させることでより精細なフォントを使用でき、結果として従来技術の上記のような問題点を解決することができる。また一覧できる放送局数を増やす一方で、画面の重畳される裏画面表の表示面積を減らすなど、ユーザの視聴を優先的に考慮した表示方法としてもよい。なおハイビジョン放送の最適視聴距離は画面高さの約３倍といわれており、その距離から見ても十分に認識できるフォントサイズに調整するのが好ましい。
【００６７】
番組情報表示装置１の各ブロックは、ハードウェアロジックによって構成してもよいし、次のようにＣＰＵを用いてソフトウェアによって実現してもよい。
【００６８】
すなわち、番組情報表示装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体、図示せず）などを備えている。そして、本発明の目的は、上述した機能を実現するソフトウェアである番組情報表示装置１の制御プログラムのプログラムコード（実行形式プログラム、中間コードプログラム、ソースプログラム）をコンピュータで読み取り可能に記録した記録媒体を、上記番組情報表示装置１に供給し、そのコンピュータ（またはＣＰＵやＭＰＵ）が記録媒体に記録されているプログラムコードを読み出し実行することによっても、達成可能である。
【００６９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７０】
また、番組情報表示装置１を通信ネットワークと接続可能に構成し、上記プログラムコードを通信ネットワークを介して供給してもよい。この通信ネットワークとしては、特に限定されず、例えば、インターネット、イントラネット、エクストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７２】
放送番組に関する情報を含む番組情報をアンテナを介して取得して、放送番組に重畳して表示させる表示装置に適用することができる。
【符号の説明】
【００７３】
１    情報表示制御装置
２    デジタル復調部
３    制御部
４    ＡＶデコーダ部
５    番組情報記憶部（記憶部）
６    スピーカ
７    表示パネル
８    リモートコントロール装置
９    番組情報取得部（番組情報取得手段）
１０    視聴可能番組データ作成部（視聴可能番組データ作成手段）
１１    音声制御部
１２    表示制御部（重畳表示制御手段）
１３    入力受付部（ネットワーク切替受付手段）
１４    リモコン受光部
１５    テレビジョン
２０    裏番組ボタン
２１    ネットワークボタン
２２    地上デジタル放送ボタン
２３    ＢＳデジタル放送ボタン
２４    ＣＳデジタル放送ボタン
２５    決定ボタン
【図１】
2010110020.tif 000003
【図２】
2010110020.tif 000004
【図３】
2010110020.tif 000005
【図４】
2010110020.tif 000006
【図５】
2010110020.tif 000007
【図６】
2010110020.tif 000008